(57)【要約】      （修正有）【課題】接着剤等を使用せず、信号転送モジュールに導光柱を安定的に固定することができるコネクタの構造を提供する。【解決手段】コネクタの構造は、信号転送モジュール１０が穴１４２、ピン１４３、及びブロック１５１を有し、導光柱２０の上部屈曲部２１が突起２１３及び係り孔２１４を有し、導光柱の下部屈曲部がフック２２２を有し、穴及び突起、ピン及び係り孔、並びにブロック及びフックが各々はめ合わされ、導光柱と信号転送モジュールとが組み合わされることによる。【選択図】図５
0003119556.tif 000002
【実用新案登録請求の範囲】
【請求項１】
正面に通信端子が設けられた絶縁台座を具備する信号転送モジュールと、上部屈曲部及びLED指示ランプを有する下部屈曲部からなる導光柱とを含むコネクタの構造において、
前記信号転送モジュールが穴、ピン、及びブロックを有し、
前記導光柱の上部屈曲部が突起及び係り孔を有し、
前記導光柱の下部屈曲部がフックを有し、
前記穴及び突起、ピン及び係り孔、並びにブロック及びフックが各々はめ合わされ、前記導光柱と前記信号モジュールとが組み合わされることを特徴とする、コネクタの構造。
【請求項２】
前記信号転送モジュールの上面に凸部が設けられ、
前記ピンが前記凸部の上部に形成され、
前記ピンの前部に前記穴が形成されることを特徴とする、請求項１に記載のコネクタの構造。
【請求項３】
前記ブロックが前記信号転送モジュールの底面後部に形成され、
前記ブロックから信号転送モジュールの後面にかけて傾斜面が形成されることを特徴とする、請求項１又は２に記載のコネクタの構造。
【請求項４】
前記導光柱の上部屈曲部の前端には２つの柱体が形成され、
前記柱体の間には、前記信号転送モジュールの凸部の幅と一致する幅の溝が設けられ、
前記突起が、前記溝内に形成され、
前記係り孔が、前記突起の後部に形成され、
前記導光柱の下部屈曲部の底部にフックが設けられることを特徴とする、請求項１〜３の何れか一に記載のコネクタの構造。
【考案の詳細な説明】
【技術分野】
【０００１】
本考案は、コネクタの構造に関し、特に、信号転送モジュールに導光柱を安定的に組み合わせたコネクタの構造に関する。
【背景技術】
【０００２】
従来使用されているネットワーク用コネクタであるＲＪ−４５の構造は、電磁波を遮断したハウジング内に少なくとも１つの信号転送モジュールが取り付けられている。この信号転送モジュールは絶縁台座を有し、正面には通信端子が一列に設けてあり、内部には異常電圧防止及び濾波のためのコイルが設けられている。信号転送モジュールの通信端子を、電磁波を遮断したハウジング内に設けられた台座穴に挿入し、台座穴の正面に通信ケーブルのプラグを挿入すると、データの転送を行うことができる。
【０００３】
しかしながら、このようなコネクタにおいては、LED表示ランプの端子の設置が容易でなく、台湾実用新案第Ｍ２５０３８２号のように導光柱が用いられるようになった（特許文献１）。
【０００４】
この導光柱は、９０度に屈曲したＬ字型の構造を有し、信号転送モジュールの上面と背面とに組み合わされるものであるが、Ｌ字型の構造上、導光柱を組み合わせるのは容易でなく、さらに、粘着剤の使用が必要であった。
【特許文献１】台湾実用新案第Ｍ２５０３８２号公報
【考案の開示】
【考案が解決しようとする課題】
【０００５】
本考案の目的は、接着剤等を使用せず、信号転送モジュールに導光柱を安定的に固定することができるコネクタの構造を提供することである。
【課題を解決するための手段】
【０００６】
本考案者らは、鋭意研究を重ねた結果、信号転送モジュールに穴、ピン、及びブロックを設け、導光柱の上部屈曲部に突起及び係り孔を設け、前記導光柱の下部屈曲部にフックを設け、穴及び突起、ピン及び係り孔、並びにブロック及びフックを各々はめ合わせることにより、上記課題を解決するコネクタの構造を完成した。
【０００７】
すなわち、本考案のコネクタの構造は、以下よりなる。
１．正面に通信端子が設けられた絶縁台座を具備する信号転送モジュールと、上部屈曲部及びLED指示ランプを有する下部屈曲部からなる導光柱とを含むコネクタの構造において、
前記信号転送モジュールが穴、ピン、及びブロックを有し、
前記導光柱の上部屈曲部が突起及び係り孔を有し、
前記導光柱の下部屈曲部がフックを有し、
前記穴及び突起、ピン及び係り孔、並びにブロック及びフックが各々はめ合わされ、前記導光柱と前記信号モジュールとが組み合わされることを特徴とする、コネクタの構造。
２．前記信号転送モジュールの上面に凸部が設けられ、
前記ピンが前記凸部の上部に形成され、
前記ピンの前部に前記穴が形成されることを特徴とする、前項１に記載のコネクタの構造。
３．前記ブロックが前記信号転送モジュールの底面後部に形成され、
前記ブロックから信号転送モジュールの後面にかけて傾斜面が形成されることを特徴とする、前項１又は２に記載のコネクタの構造。
４．前記導光柱の上部屈曲部の前端には２つの柱体が形成され、
前記柱体の間には、前記信号転送モジュールの凸部の幅と一致する幅の溝が設けられ、
前記突起が、前記溝内に形成され、
前記係り孔が、前記突起の後部に形成され、
前記導光柱の下部屈曲部の底部にフックが設けられることを特徴とする、前項１〜３の何れか一に記載のコネクタの構造。
【考案の効果】
【０００８】
信号転送モジュールに導光柱を安定的に組み合わせることが容易となり、組み合わせた後に脱落することなく固定することが可能となった。
【考案を実施するための最良の形態】
【０００９】
以下に、本考案の一実施形態を示し、具体的に説明するが、本考案はこれらに限定されるものではない。
【００１０】
図１〜３に示すように、本考案のコネクタの構造は、コネクタの挿入部に挿入され、ネットワークケーブルのプラグと連通される信号転送モジュール１０と、導光柱２０とを含む。
【００１１】
信号転送モジュールは、絶縁台座１１を有し、正面には通信端子１２が一列に設けられ、絶縁台座１１の側面に凹部１３が形成され、その内部には異常電圧防止及び濾波のためのコイルが設けられ、絶縁台座１１の両側面にある凹部１３が回路板で覆われる。
【００１２】
図１に示すように、信号転送モジュール１０の上面１４には、凸部１４１が設けられ、凸部１４１の上に、ピン１４３が形成される。前記ピン１４３の前部には穴１４２が形成される。
【００１３】
図２に示すように、信号転送モジュール１０の底面１５の後部にはブロック１５１が形成され、ブロック１５１から信号転送モジュール１０の後面１６にかけて傾斜面１５２が形成される。
【００１４】
上部屈曲部２１及び下部屈曲部２２から構成されＬ字型を形成する。導光柱２０の上部屈曲部２１の前端には２つの柱体２１１が形成される。２つの柱体２１１の間には、信号転送モジュールの凸部１４１の幅と一致する溝２１２が設けられ、溝２１２内には一対の突起２１３が形成され、突起２１３と溝２１２との後部にて、係り孔２１４が形成される。上部屈曲部２１の係り孔２１４に、信号転送モジュール１０のピン１４３を通し、係り孔２１４の突起２１３が信号転送モジュール１０に設けた穴１４２にはめ込まれる。
【００１５】
前記下部屈曲部２２にはLED溝２２１が２箇所設けられ、LED指示ランプ３０が組み付けられる。これにより、LED指示ランプの光が上部屈曲部２１前端の柱体２１１まで伝導される。LED指示ランプの設けられた下部屈曲部２２の底部には、フック２２２が設けられ、信号転送モジュール１０の底面１５に設けられた傾斜面１５２を通り、ブロック１５１に掛けられ、はめ込まれる。
【００１６】
導光柱２０及び信号転送モジュール１０は、図４及び図５に示すように組み合わせられる。
【００１７】
図４に示すように、導光柱２０の下部屈曲部２２のLED溝２２１内にLED指示ランプ３０が組付けられる。導光柱２０の下部屈曲部２２のフック２２２は、信号転送モジュール１０の底面１５後部の傾斜面１５２に滑り入れられ、ブロック１５１に引っ掛けられ、はめ合わされる。また、信号転送モジュール１０の上面にあるピン１４３は導光柱２０の上部屈曲部２１の係り孔２１４内に入れられ、信号転送モジュール１０の穴１４２と導光柱２０の突起２１３がはめ合わされる。
【００１８】
図３に示すように、信号転送モジュール１０と導光柱２０とを組み合わせた後、これらをコネクタの台座４０に挿入し、図６に示すように、コネクタが組み立てられ、コネクタにプラグが挿入可能となる。
【産業上の利用可能性】
【００１９】
本考案により、接着剤等を用いることなく、信号転送モジュールと導光柱とが安定的に固定されたコネクタを製造可能となる。
【図面の簡単な説明】
【００２０】
【図１】本考案のコネクタの構造を示す分解図である。
【図２】本考案のコネクタの構造を示す分解図である。
【図３】本考案のコネクタの構造を示す斜視図である。
【図４】本考案のコネクタの構造を示す側面図である。
【図５】本考案のコネクタの構造を示す側面図である。
【図６】本考案のコネクタの構造が導入されたコネクタを示す斜視図である。
【符号の説明】
【００２１】
１０    信号転送モジュール
１１    絶縁台座
１２    通信端子
１３    凹部
１４    上面
１４１  凸部
１４２  穴
１４３  ピン
１５    底面
１５１  ブロック
１５２  傾斜面
２０    導光柱
２１    上部屈曲部
２１１  柱体
２１２  溝
２１３  突起
２１４  係り孔
２２    下部屈曲部
２２１  LED溝
２２２  フック
３０    LED指示ランプ
４０    挿入部
【図１】
0003119556.tif 000003
【図２】
0003119556.tif 000004
【図３】
0003119556.tif 000005
【図４】
0003119556.tif 000006
【図５】
0003119556.tif 000007
【図６】
0003119556.tif 000008